(57)【要約】  操作受付部（２０１）は、設備機器（１００）に対する第１の操作を第１のユーザから受け付ける。識別情報取得部（２０２）は、第１のユーザの識別情報を取得する。送信部（２０３）は、第１のユーザの識別情報と第１の操作の識別情報とを設備機器（１００）に送信する。記憶部（１０１）は、設備機器（１００）を利用するユーザの識別情報と、設備機器（１００）に対する操作の識別情報と、設備機器（１００）に対する制御内容と、が対応付けられた制御内容決定情報を記憶する。機器制御部（１０３）は、制御内容決定情報により第１のユーザの識別情報と第１の操作の識別情報とに対応付けられた制御内容で設備機器（１００）を制御する。
2019097567.tif 000002
【特許請求の範囲】
【請求項１】
設備機器と、前記設備機器を遠隔から操作するリモートコントローラと、を備える制御システムであって、
前記リモートコントローラは、
前記設備機器に対する第１の操作を第１のユーザから受け付ける操作受付手段と、
前記第１のユーザの識別情報を取得する識別情報取得手段と、
前記第１のユーザの識別情報と前記第１の操作の識別情報とを前記設備機器に送信する送信手段と、を備え、
前記設備機器は、
前記設備機器を利用するユーザの識別情報と、前記設備機器に対する操作の識別情報と、前記設備機器に対する制御内容と、が対応付けられた制御内容決定情報を記憶する記憶手段と、
前記第１のユーザの識別情報と前記第１の操作の識別情報とを前記リモートコントローラから受信する受信手段と、
前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容で前記設備機器を制御する機器制御手段と、を備える、
制御システム。
【請求項２】
前記識別情報取得手段は、近距離無線通信により少なくとも１つの携帯端末装置から少なくとも１つのユーザの識別情報を受信し、前記少なくとも１つのユーザの識別情報のうち最大の受信強度で受信されたユーザの識別情報を前記第１のユーザの識別情報として取得する、
請求項１に記載の制御システム。
【請求項３】
前記設備機器は、
前記受信手段により前記第１のユーザの識別情報と前記第１の操作の識別情報とが受信された場合、前記制御内容決定情報により前記第１のユーザの識別情報に対応付けられた制御内容を更新する更新手段を更に備える、
請求項１又は２に記載の制御システム。
【請求項４】
前記設備機器に対する操作には、制御種別を指定する種別指定操作が含まれ、
前記設備機器に対する制御内容には、前記制御種別と制御量とが含まれ、
前記更新手段は、前記受信手段により前記第１のユーザの識別情報と前記第１の操作の識別情報とが受信されてから予め定められた時間内に前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容に含まれる制御量を増加させる、
請求項３に記載の制御システム。
【請求項５】
前記設備機器に対する操作には、制御種別を指定する種別指定操作が含まれ、
前記設備機器に対する制御内容には、前記制御種別と制御量とが含まれ、
前記更新手段は、前記受信手段により前記第１のユーザの識別情報と前記第１の操作の識別情報とが受信されてから予め定められた時間内に前記受信手段により前記第１のユーザの識別情報と前記第１の操作が指定する制御種別とは相反する制御種別を指定する第２の操作の識別情報とが受信された場合、前記制御内容決定情報により前記第１のユーザの識別情報と前記第１の操作の識別情報とに対応付けられた制御内容に含まれる制御量を減少させる、
請求項３又は４に記載の制御システム。
【請求項６】
前記設備機器に対する操作には、制御の開始を指示する開始指示操作と、制御種別を指定する種別指定操作と、が含まれ、
前記設備機器に対する制御内容には、前記制御種別が含まれ、
前記制御内容決定情報は、前記設備機器を利用するユーザの識別情報と、前記設備機器に対する操作の識別情報と、季節と時間帯と天気とのうち少なくとも１つを含む操作環境の識別情報と、前記設備機器に対する制御内容と、が対応付けられた情報であり、
前記更新手段は、第１の操作環境であるときに前記受信手段により前記第１のユーザの識別情報と前記種別指定操作である前記第１の操作の識別情報とが受信された場合、前記制御内容決定情報により前記第１のユーザの識別情報と前記開始指示操作の識別情報と前記第１の操作環境の識別情報とに対応付けられた制御内容に含まれる制御種別を前記第１の操作により指定される制御種別に更新する、
請求項３から５のいずれか１項に記載の制御システム。
【請求項７】
リモートコントローラにより遠隔から操作される設備機器であって、
前記設備機器を利用するユーザの識別情報と、前記設備機器に対する操作の識別情報と、前記設備機器に対する制御内容と、が対応付けられた制御内容決定情報を記憶する記憶手段と、
第１のユーザにより前記リモートコントローラになされた第１の操作の識別情報を前記リモートコントローラから受信する受信手段と、
前記第１のユーザの識別情報を取得する識別情報取得手段と、
前記受信手段により前記第１の操作の識別情報が受信され、前記識別情報取得手段により前記第１のユーザの識別情報が取得された場合、前記制御内容決定情報により前記第１のユーザの識別情報と前記第１の操作の識別情報とに対応付けられた制御内容で前記設備機器を制御する機器制御手段と、を備える、
設備機器。
【請求項８】
設備機器を遠隔から操作するリモートコントローラであって、
前記設備機器に対する第１の操作を第１のユーザから受け付ける操作受付手段と、
前記第１のユーザの識別情報を取得する識別情報取得手段と、
前記第１のユーザの識別情報と前記第１の操作の識別情報とを前記設備機器に送信する送信手段と、を備える、
リモートコントローラ。
【請求項９】
設備機器と、前記設備機器を遠隔から操作するリモートコントローラと、を備える制御システムが実行する制御方法であって、
前記リモートコントローラが、前記設備機器に対する第１の操作を第１のユーザから受け付け、
前記リモートコントローラと前記設備機器とのうちのいずれかが、前記第１のユーザの識別情報を取得し、
前記設備機器が、前記設備機器を利用するユーザの識別情報と、前記設備機器に対する操作の識別情報と、前記設備機器に対する制御内容と、が対応付けられた制御内容決定情報により前記第１のユーザの識別情報と前記第１の操作の識別情報とに対応付けられた制御内容で前記設備機器を制御する、
制御方法。
【請求項１０】
リモートコントローラにより遠隔から操作され、
設備機器を利用するユーザの識別情報と、前記設備機器に対する操作の識別情報と、前記設備機器に対する制御内容と、が対応付けられた制御内容決定情報を記憶する記憶手段と、
前記リモートコントローラを操作した第１のユーザの識別情報と前記リモートコントローラになされた第１の操作の識別情報とを前記リモートコントローラから受信する受信手段と、を備える設備機器が備えるコンピュータを、
前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容で前記設備機器を制御する機器制御手段、として機能させる、
プログラム。
【発明の詳細な説明】
【技術分野】
【０００１】
本発明は、制御システム、設備機器、リモートコントローラ、制御方法、及び、プログラムに関する。
【背景技術】
【０００２】
現在、リモートコントローラにより設備機器を操作する制御システムが知られている。このような制御システムにおいて、ユーザが快適と感じる制御内容はユーザ毎に異なることが一般的である。このため、複数のユーザが１つのリモートコントローラを操作する場合、快適性を確保するためには、リモートコントローラを操作するユーザが切り替わる毎に、制御内容を変更するための操作をする必要がある。【０００３】
しかしながら、ユーザが切り替わる毎に、制御内容を変更するための操作をするのは非常に面倒であり、利便性が高いとは言えない。そこで、ユーザが切り替わる毎に、リモートコントローラを操作するユーザに対応付けられた制御内容を呼び出す技術が開発されている。例えば、特許文献１には、各ユーザが快適と感じる空調環境を収集し、運転開始時に、運転開始を指示したユーザに対応付けられた空調環境に従って空調機器を制御する技術が開示されている。
【先行技術文献】
【特許文献】
【０００４】
【特許文献１】特開２０１６−７０５１４号公報
【発明の概要】
【発明が解決しようとする課題】
【０００５】
しかしながら、特許文献１に開示された技術では、各ユーザが快適と感じる空調環境を収集する処理、指紋データを照合してユーザを特定する処理、特定したユーザから空調環境を特定する処理など多くの処理が、操作端末で実行される。従って、特許文献１に開示された技術では、操作端末に大きな容量の記憶部と高性能のプロセッサとを設ける必要があり、低コスト化が図れなかった。このため、低コストで利便性の高い制御システムを実現する技術が望まれている。【０００６】
本発明は、上記問題に鑑みてなされたものであり、低コストで利便性の高い制御システム、設備機器、リモートコントローラ、制御方法、及び、プログラムを提供することを目的とする。
【課題を解決するための手段】
【０００７】
上記目的を達成するために、本発明に係る制御システムは、
設備機器と、前記設備機器を遠隔から操作するリモートコントローラと、を備える制御システムであって、
前記リモートコントローラは、
前記設備機器に対する第１の操作を第１のユーザから受け付ける操作受付手段と、
前記第１のユーザの識別情報を取得する識別情報取得手段と、
前記第１のユーザの識別情報と前記第１の操作の識別情報とを前記設備機器に送信する送信手段と、を備え、
前記設備機器は、
前記設備機器を利用するユーザの識別情報と、前記設備機器に対する操作の識別情報と、前記設備機器に対する制御内容と、が対応付けられた制御内容決定情報を記憶する記憶手段と、
前記第１のユーザの識別情報と前記第１の操作の識別情報とを前記リモートコントローラから受信する受信手段と、
前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容で前記設備機器を制御する機器制御手段と、を備える。
【発明の効果】
【０００８】
本発明では、リモートコントローラが、第１の操作を第１のユーザから受け付け、リモートコントローラと設備機器とのいずれかが第１のユーザの識別情報を取得し、設備機器が、制御内容決定情報により第１のユーザの識別情報と第１の操作の識別情報とに対応付けられた制御内容で設備機器を制御する。従って、本発明によれば、低コストで利便性の高い制御システムを実現することができる。
【図面の簡単な説明】
【０００９】
【図１】本発明の実施形態１に係る制御システムの構成図
【図２】本発明の実施形態１に係る設備機器の構成図
【図３】本発明の実施形態１に係るリモートコントローラの構成図
【図４】本発明の実施形態１に係る制御システムの機能構成図
【図５】本発明の実施形態１に係るリモートコントローラの外観図
【図６】制御内容決定情報を模式的に示す図
【図７】本発明の実施形態１に係るリモートコントローラが実行する遠隔操作処理を示すフローチャート
【図８】本発明の実施形態１に係る設備機器が実行する機器制御処理を示すフローチャート
【図９】図８に示す更新処理を示すフローチャート
【図１０】本発明の実施形態２に係る制御システムの機能構成図
【発明を実施するための形態】
【００１０】
（実施形態１）
まず、図１を参照して、本発明の実施形態１に係る制御システム１０００の構成について説明する。制御システム１０００は、リモートコントローラ２００による遠隔操作に従って設備機器１００の動作を制御するシステムである。制御システム１０００は、リモートコントローラ２００のユーザ（つまり、操作者）を識別する機能と、ユーザに対応付けられた制御内容で設備機器１００を制御する機能と、ユーザによる操作の履歴に従ってユーザに対応付けられた制御内容を更新する機能と、を備える。つまり、制御システム１０００では、同一の操作がなされた場合でも、ユーザ毎に異なる制御内容で設備機器１００が制御されることが期待できる。また、制御システム１０００では、ユーザにより操作がされる毎に、制御内容がユーザの嗜好にあったものに近づくことが期待できる。
【００１１】
図１に示すように、制御システム１０００は、設備機器１００と、リモートコントローラ２００と、携帯端末装置３００と、携帯端末装置４００と、クラウドサーバ５００と、を備える。設備機器１００とクラウドサーバ５００とは、広域ネットワーク６００を介して相互に接続される。本実施形態では、制御システム１０００は、宅内に構築された空調制御システムであり、設備機器１００は、空調機器であるものとして説明する。
【００１２】
設備機器１００は、リモートコントローラ２００による遠隔操作により動作する機器である。上述したように、本実施形態では、設備機器１００は、宅内の内部の空気を調整する空調機器である。空気を調整するとは、例えば、温度を調整したり、湿度を調整したり、送風したり、不純物を除去したりすることである。設備機器１００は、例えば、１つの室外機（図示せず）と１つ以上の室内機（図示せず）とを備える。設備機器１００は、リモートコントローラ２００からデータを受信する機能と、広域ネットワーク６００を介してクラウドサーバ５００と通信する機能と、を備える。以下、図２を参照して、設備機器１００の構成について説明する。
【００１３】
図２に示すように、設備機器１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、入力装置１６、第１通信インターフェース１７、第２通信インターフェース１８、機器制御回路１９を備える。設備機器１００が備える各構成要素は、バスを介して相互に接続される。
【００１４】
ＣＰＵ１１は、設備機器１００の全体の動作を制御する。なお、ＣＰＵ１１は、ＲＯＭ１２に格納されているプログラムに従って動作し、ＲＡＭ１３をワークエリアとして使用する。ＲＯＭ１２には、設備機器１００の全体の動作を制御するためのプログラム及びデータが記憶される。ＲＡＭ１３は、ＣＰＵ１１のワークエリアとして機能する。つまり、ＣＰＵ１１は、ＲＡＭ１３にプログラム及びデータを一時的に書き込み、これらのプログラム及びデータを適宜参照する。
【００１５】
フラッシュメモリ１４は、各種の情報を記憶する不揮発性メモリである。ＲＴＣ１５は、計時用のデバイスである。ＲＴＣ１５は、例えば、電池を内蔵し、設備機器１００の電源がオフの間も計時を継続する。ＲＴＣ１５は、例えば、水晶発振子を備える発振回路を備える。入力装置１６は、ユーザによる操作を受け付ける装置であり、例えば、各種の操作を受け付ける複数のボタンを備える。入力装置１６は、ユーザによりなされた操作を検知し、検知の結果を示す信号をＣＰＵ１１に供給する。このように、入力装置１６は、設備機器１００のユーザインターフェースとして機能する。
【００１６】
第１通信インターフェース１７は、リモートコントローラ２００からデータを受信するためのインターフェースである。第１通信インターフェース１７は、例えば、リモートコントローラ２００から赤外線通信により送信されたデータを受信する赤外線通信インターフェースを備える。
【００１７】
第２通信インターフェース１８は、設備機器１００を、広域ネットワーク６００に接続するためのインターフェースである。設備機器１００は、広域ネットワーク６００を介して広域ネットワーク６００に接続された各種の装置と通信することが可能である。第２通信インターフェース１８は、例えば、ＮＩＣ（Network Interface Card）などのＬＡＮ（Local Area Network）インターフェースを備える。
【００１８】
機器制御回路１９は、ＣＰＵ１１による制御に従って負荷装置（図示せず）を動作させることにより、設備機器１００の動作を制御する回路である。負荷装置は、例えば、空調制御で使用されるアクチュエータである。次に、図３を参照して、リモートコントローラ２００の構成について説明する。
【００１９】
図３に示すように、リモートコントローラ２００は、ＣＰＵ２１、ＲＯＭ２２、ＲＡＭ２３、フラッシュメモリ２４、ＲＴＣ２５、入力装置２６、第１通信インターフェース２７、第３通信インターフェース２８を備える。リモートコントローラ２００が備える各構成要素は、バスを介して相互に接続される。
【００２０】
ＣＰＵ２１は、リモートコントローラ２００の全体の動作を制御する。なお、ＣＰＵ２１は、ＲＯＭ２２に格納されているプログラムに従って動作し、ＲＡＭ２３をワークエリアとして使用する。ＲＯＭ２２には、リモートコントローラ２００の全体の動作を制御するためのプログラム及びデータが記憶される。ＲＡＭ２３は、ＣＰＵ２１のワークエリアとして機能する。つまり、ＣＰＵ２１は、ＲＡＭ２３にプログラム及びデータを一時的に書き込み、これらのプログラム及びデータを適宜参照する。
【００２１】
フラッシュメモリ２４は、各種の情報を記憶する不揮発性メモリである。ＲＴＣ２５は、計時用のデバイスである。ＲＴＣ２５は、例えば、電池を内蔵し、リモートコントローラ２００の電源がオフの間も計時を継続する。ＲＴＣ２５は、例えば、水晶発振子を備える発振回路を備える。入力装置２６は、ユーザによる操作を受け付ける装置であり、例えば、各種の操作を受け付ける複数のボタンを備える。入力装置２６は、ユーザによりなされた操作を検知し、検知の結果を示す信号をＣＰＵ２１に供給する。このように、入力装置２６は、リモートコントローラ２００のユーザインターフェースとして機能する。
【００２２】
第１通信インターフェース２７は、設備機器１００にデータを送信するためのインターフェースである。第１通信インターフェース２７は、例えば、設備機器１００に赤外線通信によりデータを送信する赤外線通信インターフェースを備える。
【００２３】
第３通信インターフェース２８は、近距離無線通信により、携帯端末装置３００及び携帯端末装置４００と通信するためのインターフェースである。第３通信インターフェース２８は、例えば、ＢＬＥ（Bluetooth（登録商標） Low Energy）に代表されるＢｌｕｅｔｏｏｔｈ（登録商標）、或いは、ＮＦＣ（Near Field radio Communication）に対応した無線通信インターフェースを備える。
【００２４】
携帯端末装置３００は、リモートコントローラ２００を操作するユーザが携帯する端末装置である。携帯端末装置３００は、携帯端末装置３００を携帯するユーザの識別情報を、近距離無線通信によりリモートコントローラ２００に送信する機能を有する。携帯端末装置３００は、制御部（図示せず）、通信部（図示せず）、記憶部（図示せず）、表示部（図示せず）、操作受付部（図示せず）などを備える。携帯端末装置３００が備える記憶部は、携帯端末装置３００を携帯するユーザの識別情報を記憶する。携帯端末装置３００が備える通信部は、記憶部に記憶されたユーザの識別情報をリモートコントローラ２００に送信する。携帯端末装置３００は、例えば、スマートフォンである。
【００２５】
携帯端末装置４００は、リモートコントローラ２００を操作するユーザが携帯する端末装置である。なお、携帯端末装置３００を携帯するユーザと、携帯端末装置４００を携帯するユーザとは、異なるユーザである。携帯端末装置４００は、携帯端末装置４００を携帯するユーザの識別情報を、近距離無線通信によりリモートコントローラ２００に送信する機能を有する。携帯端末装置４００の構成は、基本的に、携帯端末装置３００の構成と同様である。携帯端末装置４００は、例えば、スマートフォンである。
【００２６】
なお、本実施形態では、携帯端末装置３００が携帯端末装置３００を携帯するユーザの識別情報を送信する例について説明するが、携帯端末装置３００が携帯端末装置３００の識別情報を送信してもよい。この場合、携帯端末装置３００の識別情報と携帯端末装置３００を携帯するユーザの識別情報とが対応付けられた対応関係情報がクラウドサーバ５００などに記憶されており、携帯端末装置３００の識別情報から携帯端末装置３００を携帯するユーザの識別情報を容易に特定可能であればよい。
【００２７】
つまり、携帯端末装置３００を携帯するユーザの識別情報と、携帯端末装置３００の識別情報とは、実質的に、同様に扱うことができる。なお、携帯端末装置３００を携帯するユーザは、携帯端末装置３００を所有するユーザであるものとする。同様に、携帯端末装置４００を携帯するユーザの識別情報と、携帯端末装置４００の識別情報とは、実質的に、同様に扱うことができる。なお、携帯端末装置４００を携帯するユーザは、携帯端末装置４００を所有するユーザであるものとする。
【００２８】
クラウドサーバ５００は、クラウドコンピューティングにおけるリソースを提供するサーバである。クラウドサーバ５００は、例えば、後述する制御内容決定情報を記憶する機能、制御内容決定情報に含まれる情報を抽出する機能、制御内容決定情報に含まれる情報を更新する機能を有する。また、クラウドサーバ５００は、上述した対応関係情報を記憶する機能、対応関係情報に含まれる情報を抽出する機能、対応関係情報に含まれる情報を更新する機能を有する。クラウドサーバ５００は、設備機器１００が設置された地域の天気（気圧、気温、湿度、風向、風速、雲量、降水量など）を示す天気情報を記憶する機能、天気情報を設備機器１００に提供する機能を有する。
【００２９】
クラウドサーバ５００は、広域ネットワーク６００を介して、設備機器１００と通信する機能を有する。クラウドサーバ５００は、制御部５０１と、通信部５０２と、記憶部５０３とを備える。制御部５０１は、プロセッサを備え、クラウドサーバ５００全体の動作を制御する。通信部５０２は、通信インターフェースを備え、クラウドサーバ５００を広域ネットワーク６００に接続する。記憶部５０３は、ハードディスク装置を備え、制御内容決定情報と対応関係情報と天気情報とを記憶する。広域ネットワーク６００は、設備機器１００とクラウドサーバ５００とを接続する機能を有する。広域ネットワーク６００は、例えば、インターネットである。
【００３０】
次に、図４を参照して、制御システム１０００の基本的な機能について説明する。設備機器１００は、機能的には、記憶部１０１、受信部１０２、機器制御部１０３、更新部１０４を備える。リモートコントローラ２００は、機能的には、操作受付部２０１、識別情報取得部２０２、送信部２０３を備える。
【００３１】
操作受付部２０１は、設備機器１００に対する第１の操作を第１のユーザから受け付ける。第１の操作は、設備機器１００に対する操作のうちのいずれかの操作である。第１の操作は、例えば、注目する操作であり、最後になされた操作である。第１のユーザは、設備機器１００を利用するユーザのうちのいずれかのユーザである。第１のユーザは、例えば、注目するユーザであり、設備機器１００を最後に操作したユーザである。操作受付部２０１の機能は、例えば、入力装置２６の機能により実現される。操作受付部２０１は、操作受付手段に対応する。
【００３２】
識別情報取得部２０２は、第１のユーザの識別情報を取得する。ユーザの識別情報は、ユーザを識別することが可能な情報であれば、どのような情報であってもよい。ユーザの識別情報は、例えば、ユーザの名前を示す文字列、ユーザに割り当てられた番号である。識別情報取得部２０２の機能は、例えば、ＣＰＵ２１と第３通信インターフェース２８とが協働することにより実現される。識別情報取得部２０２は、識別情報取得手段に対応する。
【００３３】
送信部２０３は、第１のユーザの識別情報と第１の操作の識別情報とを設備機器１００に送信する。操作の識別情報は、操作を識別することが可能な情報であれば、どのような情報であってもよい。操作の識別情報は、例えば、操作の名前を示す文字列、操作に割り当てられた番号である。送信部２０３の機能は、例えば、ＣＰＵ２１と第１通信インターフェース２７とが協働することにより実現される。送信部２０３は、送信手段に対応する。
【００３４】
記憶部１０１は、設備機器１００を利用するユーザの識別情報と、設備機器１００に対する操作の識別情報と、設備機器１００に対する制御内容と、が対応付けられた制御内容決定情報を記憶する。制御内容決定情報は、ユーザの識別情報と操作の識別情報とから制御内容を決定するための情報である。つまり、制御内容決定情報は、ユーザ毎及び操作毎に制御内容を定義する情報である。本実施形態では、設備機器１００が備える記憶部１０１に記憶された制御内容決定情報と、クラウドサーバ５００が備える記憶部５０３に記憶された制御内容決定情報とが同期して更新されるものとする。記憶部１０１の機能は、例えば、フラッシュメモリ１４の機能により実現される。記憶部１０１は、記憶手段に対応する。
【００３５】
受信部１０２は、第１のユーザの識別情報と第１の操作の識別情報とをリモートコントローラ２００から受信する。受信部１０２の機能は、例えば、第１通信インターフェース１７の機能により実現される。受信部１０２は、受信手段に対応する。
【００３６】
機器制御部１０３は、受信部１０２により第１のユーザの識別情報と第１の操作の識別情報とが受信された場合、制御内容決定情報により第１のユーザの識別情報と第１の操作の識別情報とに対応付けられた制御内容で設備機器１００を制御する。つまり、機器制御部１０３は、ユーザ毎及び操作毎に制御内容を定義する制御内容決定情報に基づいて、第１のユーザが第１の操作をしたときになすべき制御内容を特定し、特定した制御内容で設備機器１００を制御する。機器制御部１０３の機能は、例えば、ＣＰＵ１１と機器制御回路１９とが協働することにより実現される。機器制御部１０３は、機器制御手段に対応する。
【００３７】
ここで、識別情報取得部２０２は、近距離無線通信により少なくとも１つの携帯端末装置（例えば、携帯端末装置３００及び携帯端末装置４００）から少なくとも１つのユーザの識別情報（例えば、携帯端末装置３００を所有するユーザの識別情報及び携帯端末装置４００を所有するユーザの識別情報）を受信することが好適である。そして、識別情報取得部２０２は、少なくとも１つのユーザの識別情報のうち最大の受信強度で受信されたユーザの識別情報を第１のユーザの識別情報として取得する。すなわち、識別情報取得部２０２は、リモートコントローラ２００からの距離が最も近い携帯端末装置（例えば、携帯端末装置３００）から受信したユーザの識別情報を、第１のユーザの識別情報として取得する。
【００３８】
更新部１０４は、受信部１０２により第１のユーザの識別情報と第１の操作の識別情報とが受信された場合、制御内容決定情報により第１のユーザの識別情報に対応付けられた制御内容を更新する。すなわち、更新部１０４は、第１のユーザにより第１の操作がなされた場合、制御内容決定情報に含まれる制御内容のうち第１のユーザに関わる制御内容を更新する。更新部１０４の機能は、例えば、ＣＰＵ１１がＲＯＭ１２又はフラッシュメモリ１４に記憶されたプログラムを実行することにより実現される。
【００３９】
以下、図５と図６とを参照して、更新部１０４の機能について説明する。図５は、リモートコントローラ２００の外観図である。図５に示すように、リモートコントローラ２００は、ボタン２６１と、ボタン２６２と、ボタン２６３と、ボタン２６４とを備える。
【００４０】
ボタン２６１は、制御の開始を指示する開始指示操作を受け付けるボタンである。開始指示操作は、制御内容決定情報により定義されるいずれかの制御種別の制御の開始を指示する操作である。ボタン２６２は、制御種別として冷房を指示する種別指定操作を受け付けるボタンである。ボタン２６３は、制御種別として暖房を指示する種別指定操作を受け付けるボタンである。ボタン２６４は、制御種別として除湿を指示する種別指定操作を受け付けるボタンである。
【００４１】
図６は、制御内容決定情報を模式的に示す図である。図６に示すように、制御内容決定情報は、ユーザの識別情報と、操作の識別情報と、操作環境の識別情報と、制御内容情報とが対応付けられた情報である。操作環境は、季節と時間帯と天気とのうち少なくとも１つを含む概念である。図６には、操作環境が、春夏秋冬により指定される季節により定義される例を示している。
【００４２】
ここで、設備機器１００に対する操作には、制御の開始を指示する開始指示操作と、制御種別を指定する種別指定操作と、が含まれる。ボタン２６１に対する操作は、開始指示操作である。ボタン２６２、ボタン２６３、ボタン２６４に対する操作は、種別指定操作である。また、設備機器１００に対する制御内容には、制御種別と制御量とが含まれる。制御種別は、冷房、暖房、除湿のいずれかである。本実施形態では、冷房に対応する制御量を室温の目標低下値により定義し、暖房に対応する制御量を室温の目標上昇値により定義し、湿度に対応する制御量を湿度の目標低下値により定義する。ただし、制御量をどのように定義するのかは、適宜、調整することができる。
【００４３】
ここで、更新部１０４は、第１のユーザにより第１の操作が連続してなされた場合、第１のユーザにより第１の操作がなされたときの制御量を増加させることができる。なお、更新部１０４は、受信部１０２により第１のユーザの識別情報と第１の操作の識別情報とが受信されてから予め定められた時間（例えば、数秒から数十分の時間）内に受信部１０２により第１のユーザの識別情報と第１の操作の識別情報とが受信された場合、第１のユーザにより第１の操作が連続してなされたとみなすことができる。また、更新部１０４は、制御内容決定情報により第１のユーザの識別情報と第１の操作の識別情報とに対応付けられた制御内容に含まれる制御量を増加させることで、第１のユーザにより第１の操作がなされたときの制御量を増加させることができる。
【００４４】
例えば、第１のユーザがユーザＡであり、第１の操作が冷房を指示する操作であり、季節が夏であるものとする。この場合、ユーザＡが冷房を指示するボタン２６２を押圧すると、機器制御部１０３は、図６において１行目のレコードに示すように、室温を２℃下げる程度の制御量で冷房するように設備機器１００を制御する。ここで、上記予め定められた時間が経過する前に、ユーザＡが再度ボタン２６２を押圧すると、更新部１０４は、図６における１行目のレコードの制御量を、−２℃から−３℃に増加させる。以後、ユーザＡがボタン２６２を押圧すると、機器制御部１０３は、室温を３℃下げる程度の制御量で冷房するように設備機器１００を制御する。このように、更新部１０４は、連続して同一の操作がなされた場合、この操作がなされたときの制御量が増加するように、制御内容決定情報を更新する。
【００４５】
また、更新部１０４は、第１のユーザにより第１の操作と第１の操作が指定する制御種別とは相反する制御種別を指定する第２の操作とが連続してなされた場合、第１のユーザにより第１の操作がなされたときの制御量を減少させることができる。なお、更新部１０４は、受信部１０２により第１のユーザの識別情報と第１の操作の識別情報とが受信されてから予め定められた時間（例えば、数秒から数十分の時間）内に受信部１０２により第１のユーザの識別情報と第２の操作の識別情報とが受信された場合、第１のユーザにより第１の操作と第２の操作とが連続してなされたとみなすことができる。また、更新部１０４は、制御内容決定情報により第１のユーザの識別情報と第１の操作の識別情報とに対応付けられた制御内容に含まれる制御量を減少させることで、第１のユーザにより第１の操作がなされたときの制御量を減少させることができる。
【００４６】
例えば、第１のユーザがユーザＡであり、第１の操作が冷房を指示する操作であり、第２の操作が暖房を指示する操作であり、季節が夏であるものとする。この場合、ユーザＡが冷房を指示するボタン２６２を押圧すると、機器制御部１０３は、図６において１行目のレコードに示すように、室温を２℃下げる程度の制御量で冷房するように設備機器１００を制御する。ここで、上記予め定められた時間が経過する前に、ユーザＡが暖房を指示するボタン２６３を押圧すると、更新部１０４は、図６における１行目のレコードの制御量を、−２℃から−１℃に減少させる。以後、ユーザＡがボタン２６２を押圧すると、機器制御部１０３は、室温を１℃下げる程度の制御量で冷房するように設備機器１００を制御する。このように、更新部１０４は、連続して相反する制御を指示する操作がなされた場合、最初になされた操作がなされたときの制御量が減少するように、制御内容決定情報を更新する。
【００４７】
また、更新部１０４は、第１の操作環境であるときに第１のユーザにより種別指定操作である第１の操作がなされた場合、第１の操作環境であるときに第１のユーザにより開始指示操作がなされたときの制御種別を第１の操作により指定される制御種別にすることができる。なお、更新部１０４は、第１の操作環境であるときに受信部１０２により第１のユーザの識別情報と種別指定操作である第１の操作の識別情報とが受信された場合、第１の操作環境であるときに第１のユーザにより種別指定操作である第１の操作がなされたとみなすことができる。また、更新部１０４は、制御内容決定情報により第１のユーザの識別情報と開始指示操作の識別情報と第１の操作環境の識別情報とに対応付けられた制御内容に含まれる制御種別を第１の操作により指定される制御種別に更新することにより、第１の操作環境であるときに第１のユーザにより開始指示操作がなされたときの制御種別を第１の操作により指定される制御種別にすることができる。
【００４８】
例えば、第１のユーザがユーザＡであり、第１の操作が暖房を指示する操作であり、季節が夏であるものとする。この場合、ユーザＡが暖房を指示するボタン２６３を押圧すると、機器制御部１０３は、暖房するように設備機器１００を制御する。一方、更新部１０４は、図６における４行目のレコードの制御種別を、冷房から暖房に変更する。以後、夏に、ユーザＡが制御開始を指示するボタン２６１を押圧すると、機器制御部１０３は、暖房するように設備機器１００を制御する。このように、更新部１０４は、開始指示操作がなされた場合、同一のユーザ及び同一の操作環境において最後になされた種別指定操作により指定される制御種別の制御が実行されるように、制御内容決定情報を更新する。
【００４９】
次に、図７のフローチャートを参照して、リモートコントローラ２００が実行する遠隔操作処理について説明する。なお、遠隔操作処理は、例えば、リモートコントローラ２００の電源が投入されている間、繰り返し実行される。
【００５０】
まず、ＣＰＵ２１は、ユーザによる操作があるか否かを判別する（ステップＳ１０１）。ＣＰＵ２１は、例えば、入力装置２６が備えるボタン（ボタン２６１、ボタン２６２、ボタン２６３、ボタン２６４）が押圧されたか否かを判別する。ＣＰＵ２１は、ユーザによる操作がないと判別すると（ステップＳ１０１：ＮＯ）、ステップＳ１０１に処理を戻す。一方、ＣＰＵ２１は、ユーザによる操作があると判別すると（ステップＳ１０１：ＹＥＳ）、ユーザの識別情報を要求する（ステップＳ１０２）。具体的には、ＣＰＵ２１は、第３通信インターフェース２８を制御して、短距離無線通信により、ユーザの識別情報を送信することを要求する要求情報を表す電波を送信する。
【００５１】
ＣＰＵ２１は、ステップＳ１０２の処理を完了すると、ユーザの識別情報を取得する（ステップＳ１０３）。具体的には、ＣＰＵ２１は、第３通信インターフェース２８が短距離無線通信により受信した電波により表されるユーザの識別情報を取得する。ここで、ＣＰＵ２１は、複数のユーザの識別情報を取得した場合、受信強度が最大であるユーザの識別情報を採用する。
【００５２】
ＣＰＵ２１は、ステップＳ１０３の処理を完了すると、ユーザの識別情報と操作の識別情報とを送信する（ステップＳ１０４）。具体的には、ＣＰＵ２１は、第１通信インターフェース２７を制御して、ユーザの識別情報と操作の識別情報とを設備機器１００に送信する。ＣＰＵ２１は、ステップＳ１０４の処理を完了すると、ステップＳ１０１に処理を戻す。
【００５３】
次に、図８のフローチャートを参照して、設備機器１００が実行する機器制御処理について説明する。なお、機器制御処理は、例えば、設備機器１００の電源が投入されている間、繰り返し実行される。
【００５４】
まず、ＣＰＵ１１は、ユーザの識別情報と操作の識別情報とを受信したか否かを判別する（ステップＳ２０１）。具体的には、ＣＰＵ１１は、第１通信インターフェース１７がリモートコントローラ２００からユーザの識別情報と操作の識別情報とを受信したか否かを判別する。ＣＰＵ１１は、ユーザの識別情報と操作の識別情報とを受信していないと判別すると（ステップＳ２０１：ＮＯ）、ステップＳ２０１に処理を戻す。
【００５５】
一方、ＣＰＵ１１は、ユーザの識別情報と操作の識別情報とを受信したと判別すると（ステップＳ２０１：ＹＥＳ）、操作環境の識別情報を取得する（ステップＳ２０２）。例えば、ＣＰＵ１１は、ＲＴＣ１５から供給される時刻情報に基づいて、季節と時間帯とを特定することができる。また、ＣＰＵ１１は、第２通信インターフェース１８を介して、クラウドサーバ５００から天気情報を取得し、天気を特定することができる。このようにして、ＣＰＵ１１は、季節と時間帯と天気との少なくとも１つを含む操作環境を識別可能な識別情報を取得する。
【００５６】
ＣＰＵ１１は、ステップＳ２０２の処理を完了すると、条件に適合する制御内容情報があるか否かを判別する（ステップＳ２０３）。つまり、ＣＰＵ１１は、受信したユーザの識別情報と、受信した操作の識別情報と、取得した操作環境の識別情報とに対応付けられた制御内容情報が、制御内容決定情報に含まれているか否かを判別する。例えば、種別指定操作をしたことのないユーザが開始指示操作をした場合、条件に適合する制御内容情報がないと判別される。
【００５７】
ＣＰＵ１１は、条件に適合する制御内容情報がないと判別すると（ステップＳ２０３：ＮＯ）、デフォルトの制御内容に従って設備機器１００を制御する（ステップＳ２０４）。一方、ＣＰＵ１１は、条件に適合する制御内容情報があると判別すると（ステップＳ２０３：ＹＥＳ）、制御内容情報に従って設備機器１００を制御する（ステップＳ２０５）。ＣＰＵ１１は、ステップＳ２０４又はステップＳ２０５の処理を完了すると、更新処理を実行する（ステップＳ２０６）。更新処理については、図９のフローチャートを参照して、詳細に説明する。
【００５８】
まず、ＣＰＵ１１は、今回の操作が種別指定操作であるか否かを判別する（ステップＳ３０１）。ＣＰＵ１１は、今回の操作が種別指定操作であると判別すると（ステップＳ３０１：ＹＥＳ）、開始指示操作に対応する制御種別を更新する（ステップＳ３０２）。具体的には、ＣＰＵ１１は、開始指示操作に対応する制御種別が、今回なされた種別指定操作により指定された制御種別になるように、制御内容決定情報を更新する。
【００５９】
ＣＰＵ１１は、今回の操作が種別指定操作でないと判別した場合（ステップＳ３０１：ＮＯ）、又は、ステップＳ３０２の処理が完了した場合、同一の制御種別の操作が連続して実行されたか否かを判別する（ステップＳ３０３）。ＣＰＵ１１は、同一の制御種別の操作が連続して実行されたと判別すると（ステップＳ３０３：ＹＥＳ）、今回の操作の制御種別に対応する制御量を増加させる（ステップＳ３０４）。つまり、ＣＰＵ１１は、今回の操作の制御種別に対応する制御量が増加するように、制御内容決定情報を更新する。
【００６０】
ＣＰＵ１１は、同一の制御種別の操作が連続して実行されていないと判別した場合（ステップＳ３０３：ＮＯ）、又は、ステップＳ３０４の処理を完了した場合、相反する制御種別の操作が連続して実行されたか否かを判別する（ステップＳ３０５）。ＣＰＵ１１は、相反する制御種別の操作が連続して実行されたと判別すると（ステップＳ３０５：ＹＥＳ）、前回の操作の制御種別に対応する制御量を減少させる（ステップＳ３０６）。つまり、ＣＰＵ１１は、前回の操作の制御種別に対応する制御量が減少するように、制御内容決定情報を更新する。
【００６１】
ＣＰＵ１１は、ステップＳ３０６の処理を完了した場合、又は、相反する制御種別の操作が連続して実行されていないと判別した場合（ステップＳ３０５：ＮＯ）、更新処理を完了する。ＣＰＵ１１は、ステップＳ２０６の更新処理を完了すると、ステップＳ２０１に処理を戻す。
【００６２】
本実施形態では、リモートコントローラ２００が、第１の操作を第１のユーザから受け付け、リモートコントローラ２００が第１のユーザの識別情報を取得し、設備機器１００が、制御内容決定情報により第１のユーザの識別情報と第１の操作の識別情報とに対応付けられた制御内容で設備機器１００を制御する。つまり、本実施形態では、リモートコントローラ２００が実行する処理をそれほど増加させずに、ユーザ及び操作に応じた適切な制御内容で設備機器１００を制御することができる。このため、本実施形態では、リモートコントローラ２００に高性能のプロセッサ及び余分なメモリを持たせる必要がなく、リモートコントローラ２００を安価に構成することができる。従って、本実施形態によれば、低コストで利便性の高い制御システム１０００を実現することができる。
【００６３】
また、本実施形態では、リモートコントローラ２００は、近距離無線通信によりユーザの識別情報を受信し、最大の受信強度で受信されたユーザの識別情報がリモートコントローラ２００を操作したユーザの識別情報として取得される。従って、本実施形態によれば、特別な構成をリモートコントローラ２００に設けずに、ユーザの識別情報を適切に取得することができる。特に、携帯端末装置３００が、携帯端末装置３００を携帯するユーザの識別情報、又は、携帯端末装置３００の識別情報を近距離無線通信により送信可能な構成であれば、リモートコントローラ２００には、近距離無線通信を可能とする構成を設けるだけでよい。
【００６４】
また、本実施形態では、ユーザにより操作がされると、制御内容決定情報に含まれる制御内容が更新される。このため、本実施形態によれば、ユーザにより操作がされる毎に、ユーザ及び操作により適した制御内容に更新されることが期待できる。
【００６５】
また、本実施形態では、同一の制御種別を指定する操作が連続してなされると、この制御種別を指定する操作をしたときの制御量が増加する。このため、本実施形態によれば、一度の操作でユーザ及び操作に適した制御内容での制御が実現することが期待できる。
【００６６】
また、本実施形態では、異なる制御種別を指定する操作が連続してなされると、前回の操作と同じ操作をしたときの制御量が減少する。このため、本実施形態によれば、一度の操作でユーザ及び操作に適した制御内容での制御が実現することが期待できる。
【００６７】
また、本実施形態では、開始指示操作がなされた場合、同様の条件において、最後になされた種別指定操作により指定される制御種別の制御が実行される。このため、本実施形態によれば、単一の操作でユーザに適した制御内容での制御が実現することが期待できる。
【００６８】
（実施形態２）
実施形態１では、リモートコントローラ２００がユーザの識別情報を取得する例について説明した。本実施形態では、設備機器１００がユーザの識別情報を取得する例について説明する。
【００６９】
図１０を参照して、本実施形態に係る制御システム１１００の基本的な機能について説明する。制御システム１１００は、設備機器１１０と、リモートコントローラ２１０と、を備える。設備機器１１０は、機能的には、識別情報取得部１０５を備える点を除き、設備機器１００と同様の構成である。リモートコントローラ２１０は、機能的には、識別情報取得部２０２を備えない点を除き、リモートコントローラ２００と同様の構成である。
【００７０】
識別情報取得部１０５は、第１のユーザの識別情報を取得する。識別情報取得部１０５の機能は、例えば、ＣＰＵ１１と、設備機器１００が備える、第３通信インターフェース２８と同様の構成を有する通信インターフェース（図示せず）と、が協働することにより実現される。識別情報取得部１０５は、識別情報取得手段に対応する。
【００７１】
本実施形態では、更新部１０４と機器制御部１０３とは、受信部１０２からではなく識別情報取得部１０５から、ユーザの識別情報を取得する。
【００７２】
本実施形態では、設備機器１００がユーザの識別情報を取得する。従って、本実施形態によれば、リモートコントローラ２１０を更に低コストで構成することができ、更に低コストで利便性の高い制御システム１０００を実現することができる。
【００７３】
（変形例）
以上、本発明の実施形態を説明したが、本発明を実施するにあたっては、種々の形態による変形及び応用が可能である。
【００７４】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【００７５】
例えば、実施形態１では、制御内容決定情報を記憶する記憶部１０１と制御内容決定情報を更新する更新部１０４とが設備機器１００に設けられる例について説明した。記憶部１０１と更新部１０４とがクラウドサーバ５００に設けられてもよい。この場合、設備機器１００とクラウドサーバ５００とが連係して、上述した機器制御処理が実行されればよい。
【００７６】
また、実施形態１では、制御内容決定情報に操作環境の識別情報が含まれる例について説明した。制御内容決定情報に操作環境の識別情報が含まれなくてもよい。また、実施形態１では、操作環境が、季節のみを含む例について説明した。操作環境は、季節を含まなくてもよいし、時間帯を含んでいてもよいし、天気を含んでいてもよい。例えば、操作環境が、季節と時間帯と天気とを含む場合、ユーザ及び操作が同一であっても、季節毎、時間帯毎、及び、天気毎に、制御内容が異なるようにすることもできる。
【００７７】
実施形態１では、近距離無線通信によりユーザの識別情報を取得する例について説明した。ユーザの識別情報を取得する手法は、この例に限定されない。例えば、指紋認証に代表される生体認証、リモートコントローラ２００の把持位置及び掴み強度を検出する歪みセンサを用いた認証、ユーザの声を収集するマイクロフォンを用いた音声認識、ユーザを撮像する撮像装置を用いた画像認識などであってもよい。
【００７８】
実施形態１では、リモートコントローラ２００が、複数のボタンを備える入力装置２６を備える例について説明した。リモートコントローラ２００は、入力装置２６に代えて、タッチスクリーンを備えていてもよい。同様に、設備機器１００は、入力装置１６に代えて、タッチスクリーンを備えていてもよい。
【００７９】
実施形態１では、設備機器１００とリモートコントローラ２００とが赤外線通信により通信する例について説明した。設備機器１００とリモートコントローラ２００とは、赤外線通信以外の無線通信により通信してもよいし、有線通信により通信してもよい。
【００８０】
実施形態１では、リモートコントローラ２００が設備機器１００に対して専用に設けられたものである例について説明した。リモートコントローラ２００は、例えば、スマートフォンと、スマートフォンのオペレーティングシステム上で動作するアプリケーションとにより構成されてもよい。また、実施形態１では、リモートコントローラ２００は、複数のユーザにより利用される例について説明した。リモートコントローラ２００は、ユーザ毎に設けられてもよい。
【００８１】
実施形態１では、制御システム１０００が、宅内に構築された空調制御システムである例について説明した。制御システム１０００は、ビル内に構築された空調制御システムであってもよい。また、制御システム１０００は、空調制御システムでなくてもよい。
【００８２】
制御システム１０００は、例えば、冷蔵庫の庫内温度をユーザ毎に制御するシステム、炊飯器により炊かれるご飯の固さ又は炊きあげ時刻をユーザ毎に制御するシステム、ＩＨＣＨ（Induction Heating Cooking Heater）による焼き加減又はよく使用するメニューの選択をユーザ毎に制御するシステム、給湯器による沸き上げ温度又はシャワー温度をユーザ毎に制御するシステム、除湿機による湿度をユーザ毎に制御するシステム、空気清浄機における風量又は運転モード（標準・おやすみ・花粉除去）をユーザ毎に制御するシステム、照明装置の照度をユーザ毎に制御するシステム、ＨＥＭＳ（Home Energy Management System）による機器操作、機器設定又は機器連係操作をユーザ毎に制御するシステムであってもよい。
【００８３】
本発明に係る設備機器１００、リモートコントローラ２００の動作を規定する動作プログラムを既存のパーソナルコンピュータ又は情報端末装置に適用することで、当該パーソナルコンピュータ等を本発明に係る設備機器１００、リモートコントローラ２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００８４】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８５】
本発明は、設備機器をリモートコントローラで操作する制御システムに適用可能である。
【符号の説明】
【００８６】
１１，２１  ＣＰＵ、１２，２２  ＲＯＭ、１３，２３  ＲＡＭ、１４，２４  フラッシュメモリ、１５，２５  ＲＴＣ、１６，２６  入力装置、１７，２７  第１通信インターフェース、１８  第２通信インターフェース、１９  機器制御回路、２８  第３通信インターフェース、１００，１１０  設備機器、１０１，５０３  記憶部、１０２  受信部、１０３  機器制御部、１０４  更新部、１０５，２０２  識別情報取得部、２００，２１０  リモートコントローラ、２０１  操作受付部、２０３  送信部、２６１，２６２，２６３，２６４  ボタン、３００，４００  携帯端末装置、５００  クラウドサーバ、５０１  制御部、５０２  通信部、６００  広域ネットワーク、１０００，１１００  制御システム
【図１】
2019097567.tif 000003
【図２】
2019097567.tif 000004
【図３】
2019097567.tif 000005
【図４】
2019097567.tif 000006
【図５】
2019097567.tif 000007
【図６】
2019097567.tif 000008
【図７】
2019097567.tif 000009
【図８】
2019097567.tif 000010
【図９】
2019097567.tif 000011
【図１０】
2019097567.tif 000012
【手続補正書】
【提出日】令和2年3月16日(2020.3.16)
【手続補正２】
【補正対象書類名】明細書
【補正対象項目名】０００１
【補正方法】変更
【補正の内容】
【０００１】
本発明は、制御システム、設備機器、制御方法、及び、プログラムに関する。
【手続補正３】
【補正対象書類名】明細書
【補正対象項目名】０００６
【補正方法】変更
【補正の内容】
【０００６】
本発明は、上記問題に鑑みてなされたものであり、低コストで利便性の高い制御システム、設備機器、制御方法、及び、プログラムを提供することを目的とする。
【手続補正４】
【補正対象書類名】特許請求の範囲
【補正対象項目名】全文
【補正方法】変更
【補正の内容】
【特許請求の範囲】
【請求項１】
設備機器と、前記設備機器を遠隔から操作するリモートコントローラと、を備える制御システムであって、
前記リモートコントローラは、
前記設備機器に対する第１の操作を第１のユーザから受け付ける操作受付手段と、
前記第１のユーザの識別情報を取得する識別情報取得手段と、
前記第１のユーザの識別情報と前記第１の操作の識別情報とを前記設備機器に送信する送信手段と、を備え、
前記設備機器は、
前記設備機器を利用するユーザの識別情報と、前記設備機器に対する操作の識別情報と、前記設備機器に対する制御内容と、が対応付けられた制御内容決定情報を記憶する記憶手段と、
前記第１のユーザの識別情報と前記第１の操作の識別情報とを前記リモートコントローラから受信する受信手段と、
前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容で前記設備機器を制御する機器制御手段と、を備える、
制御システム。
【請求項２】
前記識別情報取得手段は、近距離無線通信により少なくとも１つの携帯端末装置から少なくとも１つのユーザの識別情報を受信し、前記少なくとも１つのユーザの識別情報のうち最大の受信強度で受信されたユーザの識別情報を前記第１のユーザの識別情報として取得する、
請求項１に記載の制御システム。
【請求項３】
前記設備機器は、
前記受信手段により前記第１のユーザの識別情報と前記第１の操作の識別情報とが受信された場合、前記制御内容決定情報により前記第１のユーザの識別情報に対応付けられた制御内容を更新する更新手段を更に備える、
請求項１又は２に記載の制御システム。
【請求項４】
前記設備機器に対する操作には、制御種別を指定する種別指定操作が含まれ、
前記設備機器に対する制御内容には、前記制御種別と制御量とが含まれ、
前記更新手段は、前記受信手段により前記第１のユーザの識別情報と前記第１の操作の識別情報とが受信されてから予め定められた時間内に前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容に含まれる制御量を増加させる、
請求項３に記載の制御システム。
【請求項５】
前記設備機器に対する操作には、制御種別を指定する種別指定操作が含まれ、
前記設備機器に対する制御内容には、前記制御種別と制御量とが含まれ、
前記更新手段は、前記受信手段により前記第１のユーザの識別情報と前記第１の操作の識別情報とが受信されてから予め定められた時間内に前記受信手段により前記第１のユーザの識別情報と前記第１の操作が指定する制御種別とは相反する制御種別を指定する第２の操作の識別情報とが受信された場合、前記制御内容決定情報により前記第１のユーザの識別情報と前記第１の操作の識別情報とに対応付けられた制御内容に含まれる制御量を減少させる、
請求項３又は４に記載の制御システム。
【請求項６】
前記設備機器に対する操作には、制御の開始を指示する開始指示操作と、制御種別を指定する種別指定操作と、が含まれ、
前記設備機器に対する制御内容には、前記制御種別が含まれ、
前記制御内容決定情報は、前記設備機器を利用するユーザの識別情報と、前記設備機器に対する操作の識別情報と、季節と時間帯と天気とのうち少なくとも１つを含む操作環境の識別情報と、前記設備機器に対する制御内容と、が対応付けられた情報であり、
前記更新手段は、第１の操作環境であるときに前記受信手段により前記第１のユーザの識別情報と前記種別指定操作である前記第１の操作の識別情報とが受信された場合、前記制御内容決定情報により前記第１のユーザの識別情報と前記開始指示操作の識別情報と前記第１の操作環境の識別情報とに対応付けられた制御内容に含まれる制御種別を前記第１の操作により指定される制御種別に更新する、
請求項３から５のいずれか１項に記載の制御システム。
【請求項７】
リモートコントローラにより遠隔から操作される設備機器であって、
前記設備機器を利用するユーザの識別情報と、前記設備機器に対する操作の識別情報と、前記設備機器に対する制御内容と、が対応付けられた制御内容決定情報を記憶する記憶手段と、
第１のユーザにより前記リモートコントローラになされた第１の操作の識別情報を前記リモートコントローラから受信する受信手段と、
前記第１のユーザの識別情報を取得する識別情報取得手段と、
前記受信手段により前記第１の操作の識別情報が受信され、前記識別情報取得手段により前記第１のユーザの識別情報が取得された場合、前記制御内容決定情報により前記第１のユーザの識別情報と前記第１の操作の識別情報とに対応付けられた制御内容で前記設備機器を制御する機器制御手段と、を備える、
設備機器。
【請求項８】
設備機器と、前記設備機器を遠隔から操作するリモートコントローラと、を備える制御システムが実行する制御方法であって、
前記リモートコントローラが、前記設備機器に対する第１の操作を第１のユーザから受け付け、
前記リモートコントローラと前記設備機器とのうちのいずれかが、前記第１のユーザの識別情報を取得し、
前記設備機器が、前記設備機器を利用するユーザの識別情報と、前記設備機器に対する操作の識別情報と、前記設備機器に対する制御内容と、が対応付けられた制御内容決定情報により前記第１のユーザの識別情報と前記第１の操作の識別情報とに対応付けられた制御内容で前記設備機器を制御する、
制御方法。
【請求項９】
リモートコントローラにより遠隔から操作され、
設備機器を利用するユーザの識別情報と、前記設備機器に対する操作の識別情報と、前記設備機器に対する制御内容と、が対応付けられた制御内容決定情報を記憶する記憶手段と、
前記リモートコントローラを操作した第１のユーザの識別情報と前記リモートコントローラになされた第１の操作の識別情報とを前記リモートコントローラから受信する受信手段と、を備える設備機器が備えるコンピュータを、
前記受信手段により前記第１のユーザの識別情報と前記第１の操作の識別情報とが受信された場合、前記制御内容決定情報により前記第１のユーザの識別情報と前記第１の操作の識別情報とに対応付けられた制御内容で前記設備機器を制御する機器制御手段、として機能させる、
プログラム。
【国際調査報告】
2019097567.tif 000013
2019097567.tif 000014
2019097567.tif 000015
2019097567.tif 000016